(57)【要約】      （修正有）【課題】主に動物或いは運動物体と地球引力、てこの原理を利用し、小さな力を拡大することができる発電装置で、コストが低く、発電量は大きく、環境にやさしい地球引力発電装置を提供する。【解決手段】主に伝動軸、少なくとも１個の伝動ローラー、２個のキャリアを含む。該少なくとも１個の伝動ローラーは第一ローラー枠、第二ローラー枠、伝動軸嵌合棒、少なくとも１個の歩道フェリーを備える。該第一ローラー枠と該第二ローラー枠はそれぞれ該歩道フェリーの最も外側に設置し、該伝動軸嵌合棒は該第一ローラー枠と該第二ローラー枠間に設置し、該第一ローラー枠と該第二ローラー枠中央位置に固設し、該伝動軸嵌合棒は挟持装置を備え、伝動方式により該伝動軸に嵌設する。該２個のキャリアはそれぞれ該伝動軸の両端に設置し、該伝動軸と該伝動軸上に設置する該伝動ローラーを支える。【選択図】図１
0003127859.tif 000002
【実用新案登録請求の範囲】
【請求項１】
伝動軸、少なくとも１個の伝動ローラー、２個のキャリアを含み、
該少なくとも１個の伝動ローラーは第一ローラー枠、第二ローラー枠、伝動軸嵌合棒、歩道フェリーを備え、
該第一ローラー枠と該第二ローラー枠はそれぞれ該歩道フェリーの最も外側に設置し、
該伝動軸嵌合棒は該第一ローラー枠と該第二ローラー枠間に設置し、該第一ローラー枠と該第二ローラー枠中央位置に固設し、該伝動軸嵌合棒は挟持装置を備え、伝動方式により該伝動軸に嵌設し、
該２個のキャリアはそれぞれ該伝動軸の両端に設置し、該伝動軸と該伝動軸上に設置する該伝動ローラーを支え、
該伝動軸嵌合棒の挟持装置は該伝動軸を挟持し、該挟持装置が該伝動軸を未挟持状態にある時には、該伝動ローラーは該伝動軸上において自由に回転し、該挟持装置が該伝動軸を挟持状態にある時に、該伝動ローラーが回転すると該伝動軸の同時回転を連動し、該伝動ローラーは既定の重量を備えた運動物体が該伝動ローラーの歩道フェリー内で運動することを利用し、重力作用により該伝動ローラーを回転させ、該キャリアは動力転換モジュールを備え、発電機に接続するため、該動力転換モジュールにより該伝動軸の回転慣性を該発電機に伝送し電気エネルギーを発生することを特徴とする地球引力発電装置。
【請求項２】
請求項１記載の地球引力発電装置において、前記歩道フェリー上の既定の位置上には前ゲートと後ゲートを開設することを特徴とする地球引力発電装置。
【請求項３】
請求項１記載の地球引力発電装置において、前記運動物体は動物であることを特徴とする地球引力発電装置。
【請求項４】
請求項１記載の地球引力発電装置において、前記運動物体は動力を持つ車であることを特徴とする地球引力発電装置。
【請求項５】
請求項３記載の地球引力発電装置において、前記伝動軸嵌合棒は位置決め装置を備え、該位置決め装置は該動物を最適な運動位置に固定し、該動物の前方への移動を引導することを特徴とする地球引力発電装置。
【請求項６】
請求項１記載の地球引力発電装置において、前記発電装置はさらに複数のリニア部品を備え、それぞれ該伝動軸と該歩道フェリーに設置することを特徴とする地球引力発電装置。
【考案の詳細な説明】
【技術分野】
【０００１】
本考案は一種の地球引力発電装置に関する。特に一種の動物或いは運動物体と地球引力、てこの原理を利用し、小さな力を拡大することができる発電装置で、コストが低く、発電量は大きく、環境にやさしい地球引力発電装置に係る。
【背景技術】
【０００２】
公知の発電方法には水力発電、火力発電、風力発電、太陽光発電、原子力発電などがある。水力発電所の建設コストは非常に高く、しかも発電所全体の発電所は天候の影響を受ける。火力発電所は建設コストが高い他に、燃焼により発生する排気の汚染問題は非常に大きな欠点である。風力発電のコストは比較的低いが、天候の影響を受け、しかもその発電量には限界がある。太陽光発電のコストは低く、発電方式は非常に環境に優しいが、発電量は不十分でしかも天候の影響を受け易い。原子力発電所の発電量は大きいが、その建設コストは非常に高く、さらに発電方式と廃棄燃料が放射能を含むという問題が存在する。こうしてみると公知の発電方式にはみなコストが高く、汚染が大きく、発電量に限りがあり、天候の影響を受け易いなどの問題がある。よって考案者は公知技術の欠点に対して改良を行う。
【考案の開示】
【考案が解決しようとする課題】
【０００３】
本考案は主に動物或いは運動物体と地球引力、てこの原理を利用し、小さな力を拡大することができる発電装置で、コストが低く、発電量は大きく、環境にやさしい地球引力発電装置を提供する。
【０００４】
上述の目的のため、本考案は伝動軸、少なくとも１個の伝動ローラー、２個のキャリアを含み、
該少なくとも１個の伝動ローラーは第一ローラー枠、第二ローラー枠、伝動軸嵌合棒、歩道フェリーを備え、
該第一ローラー枠と該第二ローラー枠はそれぞれ該歩道フェリーの最も外側に設置し、
該伝動軸嵌合棒は該第一ローラー枠と該第二ローラー枠間に設置し、該第一ローラー枠と該第二ローラー枠中央位置に固設し、該伝動軸嵌合棒は挟持装置を備え、伝動方式により該伝動軸に嵌設し、
該２個のキャリアはそれぞれ該伝動軸の両端に設置し、該伝動軸と該伝動軸上に設置する該伝動ローラーを支え、
該伝動軸嵌合棒の挟持装置は該伝動軸を挟持し、該挟持装置が該伝動軸を未挟持状態にある時には、該伝動ローラーは該伝動軸上において自由に回転し、該挟持装置が該伝動軸を挟持状態にある時に、該伝動ローラーが回転すると該伝動軸の同時回転を連動し、該伝動ローラーは既定の重量を備えた運動物体が該伝動ローラーの歩道フェリー内で運動することを利用し、重力作用により該伝動ローラーを回転させ、該キャリアは動力転換モジュールを備え、発電機に接続するため、該動力転換モジュールにより該伝動軸の回転慣性を該発電機に伝送し電気エネルギーを発生し、
該歩道フェリー上の既定の位置上には前ゲートと後ゲートを開設し、
該運動物体は動物或いは動力をを持つ車で、
該伝動軸嵌合棒は位置決め装置を備え、該位置決め装置は該動物を最適な運動位置に固定し、該動物の前方への移動を引導し、
該発電装置はさらに複数のリニア部品を備え、それぞれ該伝動軸と該歩道フェリーに設置する地球引力発電装置を提供する。
【課題を解決するための手段】
【０００５】
請求項１の考案は、伝動軸、少なくとも１個の伝動ローラー、２個のキャリアを含み、該少なくとも１個の伝動ローラーは第一ローラー枠、第二ローラー枠、伝動軸嵌合棒、歩道フェリーを備え、
該第一ローラー枠と該第二ローラー枠はそれぞれ該歩道フェリーの最も外側に設置し、
該伝動軸嵌合棒は該第一ローラー枠と該第二ローラー枠間に設置し、該第一ローラー枠と該第二ローラー枠中央位置に固設し、該伝動軸嵌合棒は挟持装置を備え、伝動方式により該伝動軸に嵌設し、
該２個のキャリアはそれぞれ該伝動軸の両端に設置し、該伝動軸と該伝動軸上に設置する該伝動ローラーを支え、
該伝動軸嵌合棒の挟持装置は該伝動軸を挟持し、該挟持装置が該伝動軸を未挟持状態にある時には、該伝動ローラーは該伝動軸上において自由に回転し、該挟持装置が該伝動軸を挟持状態にある時に、該伝動ローラーが回転すると該伝動軸の同時回転を連動し、該伝動ローラーは既定の重量を備えた運動物体が該伝動ローラーの歩道フェリー内で運動することを利用し、重力作用により該伝動ローラーを回転させ、該キャリアは動力転換モジュールを備え、発電機に接続するため、該動力転換モジュールにより該伝動軸の回転慣性を該発電機に伝送し電気エネルギーを発生することを特徴とする地球引力発電装置としている。
請求項２の考案は、請求項１記載の地球引力発電装置において、前記歩道フェリー上の既定の位置上には前ゲートと後ゲートを開設することを特徴とする地球引力発電装置としている。
請求項３の考案は、請求項１記載の地球引力発電装置において、前記運動物体は動物であることを特徴とする地球引力発電装置としている。
請求項４の考案は、請求項１記載の地球引力発電装置において、前記運動物体は動力を持つ車であることを特徴とする地球引力発電装置としている。
請求項５の考案は、請求項３記載の地球引力発電装置において、前記伝動軸嵌合棒は位置決め装置を備え、該位置決め装置は該動物を最適な運動位置に固定し、該動物の前方への移動を引導することを特徴とする地球引力発電装置としている。
請求項６の考案は、請求項１記載の地球引力発電装置において、前記発電装置はさらに複数のリニア部品を備え、それぞれ該伝動軸と該歩道フェリーに設置することを特徴とする地球引力発電装置としている。
【考案の効果】
【０００６】
本考案は機械本体の製造コストが低く、メンテナンスの便も良く、発電量は莫大で、また環境に優しく汚染が少なく、しかも天候の影響を受けずに、発電を維持することができ、現代社会が今正に求める発電方式である。
【考案を実施するための最良の形態】
【０００７】
本考案地球引力発電装置第一実施例の組み合わせ立体図である図１、及び本考案地球引力発電装置第一実施例の分解立体図である図２に示すように、本考案第一実施例の地球引力発電装置は伝動軸１０、伝動ローラー２０、２個のキャリア３０を含む。
該伝動軸１０は両端に凹槽１１を設置し、該凹槽１１内に磁石１２を設置する。
該伝動ローラー２０は第一ローラー枠２１、第二ローラー枠２２、伝動軸嵌合棒２３、歩道フェリー２５を備える。
該第一ローラー枠２１と該第二ローラー枠２２はそれぞれ該歩道フェリー２５の両側に固設し、内側にはそれぞれゲートレール２１０、２２０を設置する。
該歩道フェリー２５上の既定の位置上には前ゲート２５２と後ゲート２５３を開設し、該前ゲート２５２と該後ゲート２５３はプーリー２５４を備え、該ゲートレール２１０、２２０内にそれぞれ係合する。これにより該ゲートレール２１０、２２０内においてスライド移動することができる。
該前ゲート２５２と該後ゲート２５３上にはさらに自動固定装置２５５を備え、該前ゲート２５２と該後ゲート２５３が閉鎖状態にある時、該自動固定装置２５５は該前ゲート２５２と該後ゲート２５３を固定し、これにより該前ゲート２５２と該後ゲート２５３は該伝動ローラー２０が回転する時もずれたりゆるんだりすることはない。
該伝動軸嵌合棒２３は該第一ローラー枠２１と該第二ローラー枠２２間に設置し、該第一ローラー枠２１と該第二ローラー枠２２中央位置に固設する。該伝動軸嵌合棒２３は挟持装置２３０を備え、伝動方式により該伝動軸１０に嵌設する。
該位置決め装置２４は該伝動軸嵌合棒２３に嵌設し、位置決め板２４０と引導器２４１を備える。
【０００８】
該２個のキャリア３０はそれぞれ該伝動軸１０の両端に設置し、該伝動軸１０と該伝動軸１０上に設置する該伝動ローラー２０を支える。
該伝動軸嵌合棒２３の挟持装置２３０は該伝動軸１０を挟持し、該挟持装置２３０が該伝動軸１０を未挟持状態にある時には、該伝動ローラー２０は該伝動軸１０上において自由に回転する。該挟持装置２３０が該伝動軸１０を挟持状態にある時に、該伝動ローラー２０が回転すると該伝動軸１０の同時回転を連動し、該伝動ローラー２０は既定の重量を備えた運動物体が該伝動ローラー２０の歩道フェリー２５内で運動することを利用し、重力作用により該伝動ローラー２０を回転させる。該キャリア３０は動力転換モジュール３１を備え、発電機５０に接続するため、該動力転換モジュール３１により該伝動軸１０の回転慣性を該発電機５０に伝送し電気エネルギーを発生する。
【０００９】
次に本考案地球引力発電装置中における伝動軸嵌合棒の未挟持状態の側面断面図である図３に示すように、該伝動軸嵌合棒２３の挟持装置２３０が未挟持状態にある時、該挟持装置２３０が該伝動軸１０の表面を離れると、該伝送軸嵌合棒２３と該伝動軸１０は相対回転するため、該伝動ローラー２０は該伝動軸１０上において自由に回転する。
また本考案地球引力発電装置中における伝動軸嵌合棒の挟持状態の側面断面図である図４に示すように、該伝動軸嵌合棒２３の挟持装置２３０が挟持状態にある時、該挟持装置２３０は該伝動軸１０の表面に密着するため、該伝送軸嵌合棒２３が回転すると同時に該伝動軸１０の回転を連動する。こうして該伝動ローラー２０の回転時には該伝動軸１０の回転を連動することができる。
【００１０】
本考案地球引力発電装置中の位置決め装置の使用状態表示図である図５に示すように、該位置決め装置２４は該伝動軸嵌合棒２３に掛けて設置する。該位置決め装置２４は位置決め板２４０と引導器２４１を備える。
該位置決め板２４０は運動物体(例えば、図示の牛４１)を該歩道フェリー２５内の最適な伝動位置に位置決めすることができる。該位置決め板２４０と垂直軸の挟角αは約４０°前後で、これにより重力は最適な施力角度において作用し、全体の運転効果を向上させることができる。
該引導器２４１は動物(例えば、図示の牛４１)の前方への進行を引導し、これにより該伝動ローラー２０を連動することができる。該引導器２４１上には食物或いは鈴などの物体を設置し、動物を引導することができる。
【００１１】
本考案地球引力発電装置中のキャリア内に設置されるリニア装置の断面表示図である図６に示すように、本考案地球引力発電装置中の該伝動ローラーの歩道フェリー２４と該伝動軸１０両端にはリニア装置を設置する。図２に示すように、該歩道フェリー２４の外表面には環状磁石２５０を設置し、該歩道フェリー２４の下方外側にはリニア台２５１を設置する。該環状磁石２５０と該リニア台２５１の反発磁力を利用し、該伝動ローラー２０に上向きの一定の推進力を与え、回転時の装置本体の全体的重力が生じる摩擦阻害力を低減することができる。
この他、図６に示すように、該伝動軸１０両端が該キャリア３０内に嵌設する位置上には凹槽１１を設置し、磁石１２を該凹槽１１内に備え、その外側には反発する磁性部品３２を設置する。こうして該伝動軸１０は該キャリア３０に対して、重力により発生する摩擦阻害力を低下させることができる。
【００１２】
本考案地球引力発電装置中の前ゲートの拡大表示図である図７、本考案地球引力発電装置中の前ゲートと後ゲートの開放状態表示図である図８に示すように、該第一ローラー枠２１と該第二ローラー枠２２がそれぞれ該歩道フェリー２５の両側に固設されると、該前ゲート２５２と該後ゲート２５３のプーリー２５４はそれぞれ該ゲートレール２１０、２２０内に係合し、該ゲートレール２１０、２２０内においてスライド移動することができる。
閉鎖状態にある時には、該自動固定装置２５５は該前ゲート２５２と該後ゲート２５３を固定し、該前ゲート２５２と該後ゲート２５３を開放する時には、該自動固定装置２５５を解除する。これにより該前ゲート２５２と該後ゲート２５３は該ゲートレール２１０、２２０に沿って上方へとスライド移動し、開放位置まで移動すると、該自動固定装置２５５は該前ゲート２５２と該後ゲート２５３を開放位置に固定する。こうして該前ゲート２５２と該後ゲート２５３は開放状態となり、作業人員は洗浄、メンテナンス、運動物体の交換などを行うことができる。
【００１３】
本考案地球引力発電装置第二実施例の立体図である図９に示すように、本考案第二実施例の地球引力発電装置は伝動軸１０、１５組の伝動ローラー２０、２個のキャリア３０を含む。
該伝動軸１０は両端に凹槽１１を設置し、該凹槽１１内に磁石１２を設置する。
該１５組の伝動ローラー２０の各ローラー２０はすべて第一ローラー枠２１、第二ローラー枠２２、伝動軸嵌合棒２３、２個の歩道フェリー２５を備える。
該２個の歩道フェリー２５は相互に連接し、該第一ローラー枠２１と該第二ローラー枠２２はそれぞれ該２個の歩道フェリー２５の外側に固設し、内側表面にはそれぞれゲートレール２１０、２２０を設置する。
該各歩道フェリー２５上の既定の位置上には前ゲート２５２と後ゲート２５３を開設し、該前ゲート２５２と該後ゲート２５３はプーリー２５４を備え、該ゲートレール２１０、２２０内にそれぞれ係合する。これにより該ゲートレール２１０、２２０内においてスライド移動することができる。
該前ゲート２５２と該後ゲート２５３上にはさらに自動固定装置２５５を備え、該前ゲート２５２と該後ゲート２５３が閉鎖状態にある時、該自動固定装置２５５は該前ゲート２５２と該後ゲート２５３を固定し、これにより該前ゲート２５２と該後ゲート２５３は該伝動ローラー２０が回転する時もずれたりゆるんだりすることはない。
該伝動軸嵌合棒２３は該第一ローラー枠２１と該第二ローラー枠２２間に設置し、該第一ローラー枠２１と該第二ローラー枠２２中央位置に固設する。該伝動軸嵌合棒２３は挟持装置２３０を備え、伝動方式により該伝動軸１０に嵌設する。
該位置決め装置２４は該伝動軸嵌合棒２３に嵌設し、位置決め板２４０と引導器２４１を備える。
【００１４】
該２個のキャリア３０はそれぞれ該伝動軸１０の両端に設置し、該伝動軸１０と該伝動軸１０上に設置する該伝動ローラー２０を支える。
該伝動軸嵌合棒２３の挟持装置２３０は該伝動軸１０を挟持し、該挟持装置２３０が該伝動軸１０を未挟持状態にある時には、該伝動ローラー２０は該伝動軸１０上において自由に回転する。該挟持装置２３０が該伝動軸１０を挟持状態にある時に、該伝動ローラー２０が回転すると該伝動軸１０の同時回転を連動し、該伝動ローラー２０は２頭の牛４１が該伝動ローラー２０の歩道フェリー２５内で前方へと運動することを利用し、重力作用により該伝動ローラー２０を回転させる。該キャリア３０は動力転換モジュール３１を備え、発電機５０に接続するため、該動力転換モジュール３１により該伝動軸１０の回転慣性を該発電機５０に伝送し電気エネルギーを発生する。
該位置決め装置２４は該伝動軸嵌合棒２３に掛けて設置する。該位置決め装置２４は位置決め板２４０と引導器２４１を備える。
【００１５】
該位置決め装置２４は該伝動軸嵌合棒２３に掛けて設置し、位置決め板２４０と引導器２４１を備える。該位置決め板２４０は牛４１を該歩道フェリー２５内の最適な伝動位置に位置決めすることができる。該位置決め板２４０と垂直軸の挟角αは約４０°前後で、これにより重力は最適な施力角度において作用し、全体の運転効果を向上させることができる。
該引導器２４１は牛４１の前方への進行を引導し、これにより該伝動ローラー２０を連動することができる。該引導器２４１上には食物或いは鈴などの物体を設置し、動物を引導することができる。
さらに該歩道フェリー２４の外表面には環状磁石２５０を設置し、該歩道フェリー２４の下方外側にはリニア台２５１を設置する。該環状磁石２５０と該リニア台２５１の反発磁力を利用し、該伝動ローラー２０に上向きの一定の推進力を与え、回転時の装置本体の全体的重力が生じる摩擦阻害力を低減することができる。
この他、該伝動軸１０両端が該キャリア３０内に嵌設する位置上には凹槽１１を設置し、磁石１２を該凹槽１１内に備え、その外側には反発する磁性部品３２を設置する。こうして該伝動軸１０は該キャリア３０に対して、重力により発生する摩擦阻害力を低下させることができる。
また該１５組の伝動ローラー２０中の任意の１組のローラーが破損、或いは牛４１が疲労し、交換する必要がある時には、該挟持装置２３０の挟持状態を解除する。これにより該伝動ローラー２０と該伝動軸１０は連動状態を離脱し、一時的に回転を停止することができる。こうして作業人員は洗浄、メンテナンス、牛の交換などを行うことができるため、機構全体は運転を持続し、ある組の伝動ローラー２０の故障或いは牛の疲労によって全体の運転を停止する必要はない。
【００１６】
本考案第二実施例において３０頭の牛４１を使用し同時に運転する場合に、牛４１の１頭当たりの飼料費用は約７０元で、一日の所要飼料費用は約６０００元である。しかしその発電量は小型水力発電所の発電量の３倍と非常に莫大であるため、経済的なパフォーマンスは極めて高い。
本考案地球引力発電装置第三実施例の立体図である図１０に示すように、本実施例では運動物体を牛４１に代え、ソーラーカー４２或いは他の運動物体を使用することができ、これにより動物の糞便を清浄する必要を排除することができる。
【図面の簡単な説明】
【００１７】
【図１】本考案地球引力発電装置第一実施例の組み合わせ立体図である。
【図２】本考案地球引力発電装置第一実施例の分解立体図である。
【図３】本考案地球引力発電装置中における伝動軸嵌合棒の未挟持状態の側面断面図である。
【図４】本考案地球引力発電装置中における伝動軸嵌合棒の挟持状態の側面断面図である。
【図５】本考案地球引力発電装置中の位置決め装置の使用状態表示図である。
【図６】本考案地球引力発電装置中のキャリア内に設置されるリニア装置の断面表示図である。
【図７】本考案地球引力発電装置中の前ゲートの拡大表示図である。
【図８】本考案地球引力発電装置中の前ゲートと後ゲートの開放状態表示図である。
【図９】本考案地球引力発電装置第二実施例の立体図である。
【図１０】本考案地球引力発電装置第三実施例の立体図である。
【符号の説明】
【００１８】
１０  伝動軸
１１  凹槽
１２  磁石
２０  伝動ローラー
２１  第一ローラー枠
２２  第二ローラー枠
２３  伝動軸嵌合棒
２４  位置決め装置
２５  歩道フェリー
３０  キャリア
３１  動力転換モジュール
３２  磁性部品
４０  運動物体
４１  牛
４２  伝動車
５０  発電機
２１０  ２２０  ゲートレール
２３０  挟持装置
２４０  位置決め板
２４１  引導器
２５０  環状磁石
２５１  リニア台
２５２  前ゲート
２５３  後ゲート
２５４  プーリー
２５５  自動固定装置
【図１】
0003127859.tif 000003
【図２】
0003127859.tif 000004
【図３】
0003127859.tif 000005
【図４】
0003127859.tif 000006
【図５】
0003127859.tif 000007
【図６】
0003127859.tif 000008
【図７】
0003127859.tif 000009
【図８】
0003127859.tif 000010
【図９】
0003127859.tif 000011
【図１０】
0003127859.tif 000012